(57)【要約】【課題】  撮影装置に装着された記録メディアに記録された画像データを読み出してコンピュータに入力すことができるマウスを提供する。【解決手段】  マウス２は第１、第２ボタン５、６やマウス本体等からなり、マウス本体にはデジタルカメラを載置するための台座が形成されている。台座には、デジタルカメラの底部に備えられた雄型の接続端子を嵌め込む雌型の接続端子が設けられている。マウスには接続端子を介してデジタルカメラに装着された記録メディアに記録された画像データを読み出すためのデータ通信コントローラ３５、読み出した画像データをコンピュータに送信するためのＵＳＢインターフェース３７等が備えられている。台座にデジタルカメラが載置されると、第２ボタン６の押圧に応じてデジタルカメラの記録メディアに記録された画像データがコンピュータ側に送信される。【選択図】        図４
2005267429.tif 000002
【特許請求の範囲】
【請求項１】
コンピュータに接続して使用されるマウスにおいて、
撮影装置を載置するための台座部と、台座部に載置された撮影装置と接続して撮影装置に装着された記録メディアからの画像データの読み出しを可能にする接続部と、接続部を介して記録メディアに記録された画像データを読み出すリード部と、リード部によって読み出された画像データをコンピュータに送信する通信部と、を設けたことを特徴とするマウス。
【請求項２】
前記接続部が前記撮影装置と接続したことに応じて、画像データを記録メディアから読み出す読み出し動作を前記リード部に開始させ、前記リード部によって読み出された画像データをコンピュータに送信する送信動作を前記通信部に開始させる動作制御部を設けたことを特徴とする請求項１に記載のマウス。
【請求項３】
前記撮影装置には内部に装着された充電電池を充電するための受電端子が設けられており、前記通信部はコンピュータから電力の供給を受けるための電力供給ラインを有し、前記受電端子と接触する給電端子と、前記電力供給ラインを通してコンピュータから供給された電力を前記給電端子と接触した前記受電端子を通して前記撮影装置に供給する給電制御部とを設けたことを特徴とする請求項１または２に記載のマウス。
【発明の詳細な説明】
【技術分野】
【０００１】
本発明は、コンピュータに接続されて使用されるマウスに関するものである。
【背景技術】
【０００２】
現在、デジタルカメラ、及びコンピュータが普及し、ユーザーはデジタルカメラで撮影した画像データをコンピュータに移し、コンピュータに接続されたモニタ装置の表示画面に撮影した画像を表示することができる。通常、コンピュータには表示画面上に示されたポインタを移動操作するためにマウスが接続しており、ユーザはこのマウスを操作することで様々な作業を効率よく行うことができる。例えば、マウスの移動に対応してコンピュータの表示画面上に表示されたポインタが移動し、マウスに設けられたクリックボタンを押すことによりポインタに重なった対象を指定したり実行したりできる。マウスを操作することで、ユーザはデジタルカメラで撮影した画像をコンピュータの表示画面上に表示したり、表示画面上に表示された画像を手軽に加工して楽しんでいた。
【０００３】
デジタルカメラ等の撮影装置には、画像データを記録するためのメモリーカードなどの記録メディアが装着されているが、記録メディアから画像データを読み出すためには専用の読み出し装置が必要であり、コンピュータのＵＳＢポート等に読み出し装置を接続し、この読み出し装置に記録メディアを差し替えて記録メディアに記録された画像データを読み出さなければならないため、画像データを記録メディアから読み出すためのユーザの負担が大きかった。特許文献１に記載されている発明はこのような事情を考慮してなされており、マウスにＵＳＢポートやＩＣカードメモリスロットを設け、ユーザーが容易に記録メディアに記録された画像データを読み出すことができるようにしている。
【０００４】
【特許文献１】特開２００２−２９７３１１号公報
【発明の開示】
【発明が解決しようとする課題】
【０００５】
しかしながら、記録メディアから画像データを読み出すためには記録メディアを撮影装置から取り外し、さらに撮影装置から取り外された記録メディアを記録メディアから画像データを読み出すための読み取り装置に装着してコンピュータに送信しなければならず、ユーザは画像データをコンピュータに移すために行なう作業が多いために面倒に感じる場合があった。さらに、記録メディアに装着された記録メディアからコンピュータに画像データを転送するためには読み取り装置をコンピュータに接続する必要があるが、読み取り装置の設置にはコンピュータの周辺にある程度の設置スペースが必要となり、パソコンの周辺を雑多にする一因となる場合があった。
【０００６】
また、画像データ送信するための通信ケーブルを介してコンピュータと直に接続する撮影装置もあるが、ケーブルを介してコンピュータと接続しただけでは撮影装置は安定して位置しておらず、このために撮影装置が移動し、壁や床等に衝突して破損してしまう危険性がある。さらに撮影装置を安定して位置させるクレードルが製品化されているが、デジタルカメラからコンピュータに画像データの送信が可能なようにクレードルを設置するためにはコンピュータの周辺にクレードルの設置スペースを確保しなければならず、コンピュータ周辺が雑多になる一因となる場合があった。
【０００７】
本発明は、上記の事情に鑑みてなされたものであり、その目的は、撮影装置を安定して保持し、コンピュータの周辺スペースを無駄に占めることなく撮影装置に装着された記録メディアから画像データを読み出してコンピュータに送信すことができるマウスを提供することにある。
【課題を解決するための手段】
【０００８】
上記目的を解決するために、本発明のマウスでは、コンピュータに接続して使用されるマウスにおいて、撮影装置を載置するための台座部と、台座部に載置された撮影装置と接続して撮影装置に装着された記録メディアからの画像データの読み出しを可能にする接続部と、接続部を介して記録メディアに記録された画像データを読み出すリード部と、リード部によって読み出された画像データをコンピュータに送信する通信部と、を設けたことを特徴とする。
【０００９】
また、接続部が撮影装置と接続したことに応じて、画像データを記録メディアから読み出す読み出し動作をリード部に開始させ、リード部によって読み出された画像データをコンピュータに送信する送信動作を通信部に開始させる動作制御部を設けたことを特徴とする。
【００１０】
また、撮影装置には、撮影装置の内部に装着された充電電池を充電するための受電端子が設けられており、通信部はコンピュータから電力の供給を受けるための電力供給ラインを有し、撮影装置の受電端子と接触する給電端子と、電力供給ラインを通してコンピュータから供給された電力を給電端子と接触した受電端子を通して撮影装置に供給する給電制御部とを設けたことを特徴とする。
【発明の効果】
【００１１】
本発明のマウスによれば、撮影装置を載置するための台座部と、台座部に載置された撮影装置と接続して撮影装置に装着された記録メディアからの画像データの読み出しを可能にする接続部と、接続部を介して記録メディアに記録された画像データを読み出すリード部と、リード部によって読み出された画像データをコンピュータに送信する通信部と、を設けたことにより、マウスに載置されれた撮影装置に装着された記録メディアから画像データを読み出してコンピュータに送信することができ、これにより、コンピュータの周辺でスペースを占めず、さらに撮影装置から記録メディアを取り外すことなく記録メディアに記録された画像データをコンピュータに送信することができるマウスを提供することができる。
【００１２】
また、接続部が撮影装置と接続したことに応じて、画像データを記録メディアから読み出す読み出し動作をリード部に開始させ、リード部によって読み出された画像データをコンピュータに送信する送信動作を通信部に開始させる動作制御部を設けたことにより、撮影装置をマウスの台座部に載置すると自動的にコンピュータに画像データが送信されるため、ユーザが操作を行なうことなく画像データをコンピュータに送信することができ、より利便性の高いマウスを提供することができる。
【００１３】
また、通信部はコンピュータ側から電力の供給を受けるための電力供給ラインを有し、撮影装置に備えられた接触端子と接触する接触部と、電力供給ラインを通してコンピュータから供給された電力を接触部を通して撮影装置に供給する給電制御部とを設けたことにより、給電制御部は電力供給ラインを通してコンピュータから供給された電力を撮影装置に供給することができ、これによって撮影装置に装着された充電電池の充電が可能となり、より利便性の高いマウスを提供することができる。
【発明を実施するための最良の形態】
【００１４】
図１（ａ）及び（ｂ）に本発明のマウスの外観を示す斜視図を示す。図１（ａ）に示すように、マウス２は、マウス本体３と、第１ボタン５、第２ボタン６、ホイールボタン７等からなり、マウス本体３の上部には第１ボタン５、第２ボタン６、ホイールボタン７、外装カバー９が設けられている。第１ボタン５、第２ボタン６はそれぞれユーザーの指によって押圧操作され、ホイールボタン７はユーザーの指によって回転操作される。マウス２の内部にはデジタルカメラを載置するための台座（図２参照）が設けられ、マウス２をコンピュータの表示画面上に表示されたカーソルを動かすために用いる場合には、外装カバー９を台座の上に被せることでユーザーが握りやすいようにしている。
【００１５】
図１（ｂ）に示すように、マウス本体３の底部３ａには、外部に露呈するとともにマウスの移動に伴なって転動するマウスボール１２が保持されている。マウスボール１２には、マウスボール１２の前後方への回転を検知するためのローラーと、横方向への回転を検知するためのローラーとが接触しており、これらのローラの回転することでコンピュータの表示画面上のカーソルが移動する。マウス２の前部からはコンピュータと接続するための接続コード１４が延びており、接続コード１４の先端にはＵＳＢ（Universal Serial Bus）規格に準拠したＵＳＢプラグが設けられている。接続コードの先端に設けられたＵＳＢプラグが、ＵＳＢプラグを嵌め込むＵＳＢジャックに嵌め込まれることでマウス２はコンピュータに接続する。
【００１６】
図２にマウス２の上部に設けられた外装カバー９を取り外した斜視図を示す。マウス本体３にはデジタルカメラを載置するための台座（台座部）３ｂが形成されており、この台座３ｂは外装カバー９をマウス本体３から取り外すと外部に露呈する。平らに形成された台座３ｂ上には、デジタルカメラの底部に備えられた雄型の接続端子を嵌合する雌型の接続端子（接続部）１６と、台座３ｂから突出し、デジタルカメラを安定して保持するための固定ボスと３ｃとが設けられている。
【００１７】
図３にマウス本体３に形成された台座３ｂにデジタルカメラを載置する際について説明する斜視図を示す。マウス本体３の台座３ｂにはデジタルカメラ１８の底部が対面して載置される。デジタルカメラ１８の底部に備えられた雄型の接続端子はデータ通信を行なうためのものでり、この雄型の接続端子はデジタルカメラ１８の底部が台座３ｂと対面して載置される際、マウス本体３の雌型の接続端子１６に嵌め込まれる。デジタルカメラ１８の底部には雄型の接続端子の他に、固定ボス３ｃを嵌め込むための嵌合リブが形成されており、デジタルカメラ１８が台座３ｂに載置される際、固定ボス３ｃが嵌合リブに嵌め込まれることでデジタルカメラ１８は安定して保持される。デジタルカメラ１８には記録メディア１９が装着されている。なお、台座３ｃに備える接続端子は雌型に限ることはなく、デジタルカメラに備えられた接続端子に合わせて備えるようにしてかまわない。
【００１８】
図４にマウス２の電気的な構造を概略的に示したブロック図を示す。マウス２には、第１ボタン５、第２ボタン６の押圧を検知するための押圧検知部２５、ホイールボタン７の回転量を検知する回転量検知部２７、マウスボール１２に接触したローラーを監視してマウスボール１２の回転を検出する第１転がり量検出センサ３０と第２転がり量検出センサ３１、第１、第２転がり量検出センサからの出力信号を基にマウスボール１２の回転量を検知する転がり量検知部３３、画像データの読み出しを制御するデータ通信コントローラ（リード部）３５、コンピュータと接続するための接続コード１４を有し、ＵＳＢ規格に準拠したＵＳＢインターフェース（通信部）３７、中央制御部４０等が備えられている。
【００１９】
押圧検知部２５が第１、第２ボタン５、６の押圧を検知した場合には、第１ボタン５の押圧に応じて第１押圧検知信号を、第２ボタン６の押圧を検知した場合には第２押圧検知信号をそれぞれ中央制御部４０に入力する。回転量検知部２７は検知したホイールボタン７の回転量に応じて回転信号を中央制御部４０に入力する。第１転がり量検出センサ３０は前後方向へのマウスボ−ル１２の転がり量を検出し、第２転がり量検出センサ３１は左右方向へのマウスボール１２の転がり量を検出する。第１、第２転がり量検出センサ３０、３１からはそれぞれ第１、第２検出信号が出力され、転がり量検知部３３は第１、第２検出信号を基に第１、第２回転量信号を中央制御部４０に入力する。中央制御部４０を介してＵＳＢインターフェース３７に入力された第１、第２押圧検知信号、及び第１、第２回転量信号とは接続コード１４を介してコンピュータ側に送信される。
【００２０】
データ通信コントローラ３５は、マウス２の雌型の接続端子１６、及び雌型の接続端子１６に嵌合されたデジタルカメラ１８の雄型の接続端子を介してデジタルカメラ１８に装着された記録メディア１９から画像データを読み出し、データ通信コントローラ３５によって読み出された画像データは中央制御部４０を介してＵＳＢインターフェース３７に入力される。データ通信コントローラ３５によって読み出された画像データを、ＵＳＢインターフェース３７からコンピュータ側に送信するか否かは、第１、第２ボタン５、６を押圧操作することにより決定される。例えば、デジタルカメラ１８が台座３ｂに載置された後、第２ボタン６が押圧されると、これに応じて中央制御部４０からＵＳＢインターフェース３７に送信開始命令が入力され、ＵＳＢインターフェース３７はコンピュータ側への画像データの送信を開始する。また、第１ボタン５が押されると、これに応じて中央制御部４０からＵＳＢインターフェース３７に送信中止命令が入力され、ＵＳＢインターフェース３７はコンピュータへの画像データの送信を中断する。
【００２１】
次に上記構成の作用について説明する。デジタルカメラ１８に装着された記録メディア１９から画像データをコンピュータに移す場合、ユーザーはマウス上部の外装カバー９をマウス本体３から取り外す。外装カバー９をマウス本体３から取り外すとデジタルカメラ１８を載置するための台座３ｂが露呈する。台座３ｂ上の雌型の接続端子１６に雄型の接続端子をはめ込みながらデジタルカメラ１８を台座３ｂ上に載置すると、デジタルカメラ１８に装着された記録メディア１９に記録された画像データの読み出しが可能となる。なお、このとき、デジタルカメラ１８は固定ボスが嵌合リブに係合しているために安定して位置している。
【００２２】
デジタルカメラ１８が台座３ｂ上に載置された後、ユーザーによって第２ボタン６が押されると送信開始命令が中央制御部４０からＵＳＢインターフェース３７に入力され、これに応じてＵＳＢインターフェース３７は、データ通信コントローラ３５によって記録メディア１９から読み出された画像データをコンピュータに送信する。なお、送信中に第１ボタン５が押圧された場合には、送信中止命令がＵＳＢインターフェース３７に入力され、ＵＳＢインターフェース３７は画像データの送信を中断する。
【００２３】
なお、上記の第１実施形態ではマウス２に形成された台座３ｂにデジタルカメラ１８を載置したが、マウスに形成される台座の形状はこれに限らない。例えば、デジタルカメラをより安定させるために台座の周囲にデジタルカメラの前面、背面、及び側面と対面するようにガイド壁を形成する。これにより、デジタルカメラがより安定して保持されるようになり、画像データの送信中にデジタルカメラが台座から落ちることなどを防止することが期待できる。
【００２４】
また、上記の第１実施形態では撮影装置としてデジタルカメラを例示したが、撮影装置はこれに限らず、例えばカメラ付き携帯電話であってもかまわない。カメラ付き携帯電話を載置するマウスについて説明する斜視図を図５に示す。被写体の撮影が可能なカメラ付き携帯電話５０は折り畳みが可能であり、受話スピーカーを備えた受話部５０ａ、送話マイクを備えた送話部５０ｂ、受話部と送話部とを回動可能に継ぎ合わせるヒンジ部５０ｃとからなる。送話部５０ａの一方の端と受話部５０ｂの一方の端とは互いに組み合わされてヒンジ部５０ｃを形成する固定端であり、送話部５０ｂの自由端にはデータ通信用の雄型の接続端子が設けられている。カメラ付き携帯電話５０には撮影により取得した画像データ記録するための記録メディアが装着されている。マウス５５の上部にはカメラ付き携帯電話を載置するための台座部５６が形成されたおり、台座部５６の底５６ａにはカメラ付き携帯電話５０の送話部５０ｂに設けられた雄型の接続端子と接続する雌型の接続端子５８が備えられている。カメラ付き携帯電話５０を折り畳み、カメラ付き携帯電話５０の送話部５０ｂの自由端と受話部５０ａの自由端とがマウス５５の台座部５６の底５６ａと対面するように収容されると、雄型の接続端子が雌型の接続端子５８に嵌合され、カメラ付き携帯電話５５に装着された記録メディアに記録された画像データの読み出しが可能となる。ユーザは、第２ボタン６を押すことでコンピュータへの画像データの送信を開始することができ、第１ボタン５を押すことで画像データの送信を中断することができる。なお、上記では折り畳み可能なカメラ付き携帯電話５５を例示したが、送話部と受話部とが１つの筐体に組み込まれたカメラ付き携帯電話を載置するようにマウスの収容部を形成してもよい。
【００２５】
また、上記の第１実施形態で例示したマウスは通信部としてＵＳＢインターフェースを備えたが、インターフェースはこれに限らずＩＥＥＥ（the Institute of Electrical and Electronic Engineers）１３９４に準拠したＩＥＥＥ１３９４インターフェースを備えるようにしてもよい。図６にＩＥＥＥ１３９４インターフェースを備えたマウスの斜視図を示す。マウス６５に載置されるデジタルカメラの内部には充電式のバッテリー（充電電池）が装着され、デジタルカメラの表面にはバッテリーを充電する際に電力の供給を受けるための受電端子が備えられている。マウス６５の台座（台座部）６５ａには、接続端子１６の他にデジタルカメラ６０の受電端子に接触して電力を供給する給電端子６８が設けられ、デジタルカメラがマウス６５の台座６５ａに載置されると受電端子は給電端子６８に接触する。図７にＩＥＥＥ１３９４インターフェースを備えたマウスのブロック図を示す。マウス６５には、ＩＥＥＥ１３９４に準拠したＩＥＥＥ１３９４インターフェース７０、充電制御部（給電制御部）７２とが設けられている。ＩＥＥＥ１３９４インターフェース７０は、画像データをコンピュータに送信するためのデータ送受信ラインの他にコンピュータからの電力の供給を受けるための電力供給ラインを有している。充電制御部７２はＩＥＥＥ１３９４インターフェース７０を介して供給された電力をマウス６５に載置されたデジタルカメラに供給する。以下で作用について説明する。マウス６５の給電端子６８にデジタルカメラの受電端子が接触すると、充電制御部７２はデジタルカメラのバッテリーの電圧を検知し、検知された電圧が予め定められた既定値よりも低い場合、電力の供給を開始する。充電制御部７２は、ＩＥＥＥ１３９４インターフェース７０を通して供給される電力を給電端子６８と接触した受電端子を介してデジタルカメラに送電し、デジタルカメラは供給された電力を基にデジタルカメラに装着されたバッテリーを充電する。このようにマウス６５とコンピュータとを接続するインターフェースにＩＥＥＥ１３９４インターフェース７０を用いることにより、デジタルカメラの充電に必要な電力をコンピュータから受け取ることが可能となる。これにより、マウスは、家庭用のコンセントから電力の供給を受けるためのＡＣアダプタに接続することなくバッテリーを充電するための電力を確保することができデジタルカメラに備えられたバッテリーの充電が可能となる。なお、上記ではデジタルカメラを示したが、カメラ付き携帯電話を載置するマウスにＩＥＥＥインターフェースを備えることにより、より利便性の高いマウスを提供することが期待できる。
【００２６】
また、上記の第１実施形態では、第２ボタンの押圧により記録メディアに記録された画像データの送信を開始し、第１ボタンの押圧により画像データの送信を中断したが、デジタルカメラをマウスに載置して、デジタルカメラに備えられた雄型の接続端子がマウスに備えられた雌型の接続端子に嵌合することに応じて、記録メディアに記録された画像データの送信が自動的に開始されるようにしてもよい。図８に制御プログラムを格納したＲＯＭを備えたマウスのブロック図を示す。マウスが接続するコンピュータには、マウスから送信されてくる画像データの受け入れ場所を予め設定しておく。ＲＯＭには、画像データを記録メディアから読み出してコンピュータに送信するための制御プログラムが格納されている。デジタルカメラが台座部に載置されると、接続端子を介して接続の確認信号が中央制御部（動作制御部）７７に入力され、中央制御部７７は確認信号の受信に応じてＲＯＭ７６から制御プログラムを読み出して実行する。制御プログラムに従って中央制御部７７はデータ通信コントローラ３５に画像データの読み出しを開始させ、ＵＳＢインターフェース３７にデータ通信コントローラによって読み出された画像データの送信を開始させる。このように、デジタルカメラがマウスに載置された場合に、中央制御部７７がデータ通信コントローラ３５、及びＵＳＢインターフェース３７の動作を制御することで、ユーザーがマウスの第２ボタン等を操作することなくデジタルカメラの記録メディアに記録された画像データをコンピュータに送信することができ、より利便性の高いマウスを提供することができる。
【００２７】
次に本発明の第２実施形態について説明する。なお、第１実施形態と同じ部分については同じ符号を付して説明を簡略化する。図９（ａ）に示すように、マウス８０は、上面が平らに成形された第１、第２ボタン８１，８２、ホイールボタン８４、マウス本体８６等からなり、第１、第２ボタン８１，８２、ホイールボタン８４がマウス本体８６の上部に備えられている。マウス８０の前端の両サイドには、マウスが８０がひっくり返された際に第１、第２ボタン８１、８２がマウス８０を載置した面で直接押されないように支える支持部８６ａが形成されている。図９（ｂ）に示すように、マウス本体８６の底部８６ｂには、マウス８０の移動を検出するためのイメージセンサ９０と、デジタルカメラを載置するための台座部８７とが設けられている。台座部８７の底部８７ａにはデジタルカメラに備えられた記録メディアから画像データを読み出すためのＩｒＤＡ（Infrared Data Association ）規格に従って通信を行なうＩｒＤＡ通信部９２が設けられている。
【００２８】
デジタルカメラの記録メディアから画像データを読み出す場合は、マウス８０を裏返してマウス本体８６の底部８６ｂを上に向ける。第１、第２ボタン５、６が下側に位置することになるが、支持部８６ａがマウス８０の前側を支持するため、第１、第２ボタン５、６、ホイールボタン７は押圧されない。デジタルカメラの底部にはＩｒＤＡ通信部９２が備えられており、デジタルカメラの底部が台座部８７の底部８７ａに対面するように載置されると、マウス側のＩｒＤＡ通信部９２はデジタルカメラ側のＩｒＤＡ通信部と通信が可能となる。
【００２９】
図１０のブロック図に示すように、マウス８０には、マウス８０がひっくり返されているか否かを検知する位置検知部９４、イメージセンサ９０からの画像信号を処理する信号処理部９５、ＩｒＤＡ通信部９２を介して画像データを読み出すデータ通信コントローラ９７等が備えられている。信号処理部９５はイメージセンサ９０からの画像信号を基にマウスの移動方向、及び移動量を演算し、中央制御部４０は信号処理部９５での演算を基に移動方向信号、移動量信号をＵＳＢインターフェース３７を介してコンピュータに送出する。データ通信コントローラ９７はＩｒＤＡ通信部９２を介してデジタルカメラ側と通信し、デジタルカメラに備えられた記録メディアに記録された画像データを読み出す。画像データはＵＳＢインターフェース３７からコンピュータに送信される。位置検知部９４によってマウスがひっくり返されて位置していることが検知された場合には、イメージセンサ９０及び信号処理部９５はＯＦＦされるとともにデータ通信コントローラ９７及びＩｒＤＡ通信部９２が起動され、マウス８０が正常に位置していることが検知された場合にはイメージセンサ９０、及び信号処理部９５が起動されるとともにデータ通信コントローラ９７及びＩｒＤＡ通信部９２がＯＦＦされる。
【００３０】
第２実施形態の作用について図１１を用いて説明する。マウス８０を用いてデジタルカメラ１００の記録メディアに記録された画像データをコンピュータに送信する場合、マウス８０をひっくり返して位置させる。すると位置検知部９４によってマウス８０がひっくり返されていることが検知され、これに応じてイメージセンサ９０及び画像処理部９５がＯＦＦされ、データ通信コントローラ９７及びＩｒＤＡ通信部９２が起動される。ユーザによって第２ボタン６が押圧されると、データ通信コントローラ９７はＩｒＤＡ通信部９２を介して画像データを読み出し、ＵＳＢインターフェース３７はデータ通信コントローラ９７によって読み出された画像データをコンピュータ側に送信する。
【００３１】
なお、上記の第１、第２実施形態では通信部として、接続コードによってコンピュータに接続されるＵＳＢインターフェース３７を備えたマウスを示したが、通信部として、例えば、ＢｌｕｅｔｏｏｔｈやＩＥＥＥ８０２．１１ｂ等の無線方式に従ってコンピュータと通信する無線通信部を設けてもよい。通信部が無線方式に従いコンピュータと通信することにより、マウスの置き場所に関する制約が小さくなり、より利便性の高いマウスの提供が期待できる。
【図面の簡単な説明】
【００３２】
【図１】本発明のマウスの外観を示した斜視図である。
【図２】マウス本体から外装カバーを取り外した斜視図である。
【図３】マウス本体の形成された台座にデジタルカメラを載置する説明図である。
【図４】マウスの電気的な構成を概略的に示したブロック図である。
【図５】マウスにカメラ付き携帯電話を収容する台座部を形成した斜視図である。
【図６】マウス本体の台座に給電端子を設けた斜視図である。
【図７】ＩＥＥＥ１３９４に準拠した通信インターフェースを備えたマウスの電気的な構成を概略的に示すブロック図である。
【図８】制御プログラムを格納したＲＯＭを設けたマウスの電気的な構成を概略的に示すブロック図である。
【図９】底部からＩｒＤＡに準拠したＩｒＤＡインターフェースを備えたマウスの斜視図である。
【図１０】ＩｒＤＡインターフェースを備えたマウスの電気的な構成を示したブロック図である。
【図１１】デジタルカメラを載置するマウスについて説明する説明図である。
【符号の説明】
【００３３】
２  マウス
３  マウス本体
３ｂ  台座（台座部）
１６  接続端子（接続部）
１８  デジタルカメラ
１９  記録メディア
３５  データ通信コントローラ（リード部）
３７  ＵＳＢインターフェース（通信部）
４０  中央制御部
７２  充電制御部（給電制御部）
７７  中央制御部（動作制御部）
【図１】
2005267429.tif 000003
【図２】
2005267429.tif 000004
【図３】
2005267429.tif 000005
【図４】
2005267429.tif 000006
【図５】
2005267429.tif 000007
【図６】
2005267429.tif 000008
【図７】
2005267429.tif 000009
【図８】
2005267429.tif 000010
【図９】
2005267429.tif 000011
【図１０】
2005267429.tif 000012
【図１１】
2005267429.tif 000013